(57)【要約】【課題】フィルムがなくなりそうになった場合、ユーザーに確実にその旨を知らせることができるとともに、誤使用を確実に防止できるトイレ装置を提供する。【解決手段】トイレ装置１は、便座部１２と、前記便座部１２の下方に配置され、筒状に形成されるフィルムＦを収容するフィルム収容部（フィルムカセット３１）と、前記フィルム収容部から前記フィルムＦをフィードするフィルムフィーダと、フィードされた前記フィルムを溶着して切断するヒータ１１４と、前記フィルムＦの終端部が近づいた場合に、前記フィルムＦの終端部が近づいたことを検知した旨の信号を出力するセンサ（光センサ１１５）と、前記センサの出力に基づいて前記フィルムの終端部が近づいたことを検知した場合、前記フィルムＦのフィードを行わないように前記フィルムフィーダを制御する制御部１１１と、を備える。【選択図】図３
2018099153.tif 000002
【特許請求の範囲】
【請求項１】
便座部と、
前記便座部の下方に配置され、筒状に形成されるフィルムを収容するフィルム収容部と、
前記フィルム収容部から前記フィルムをフィードするフィルムフィーダと、
フィードされた前記フィルムを溶着して切断するヒータと、
前記フィルムの終端部が近づいた場合に、前記フィルムの終端部が近づいたことを検知した旨の信号を出力するセンサと、
前記センサの出力に基づいて前記フィルムの終端部が近づいたことを検知した場合、前記フィルムのフィードを行わないように前記フィルムフィーダを制御する制御部と、
を備えるトイレ装置。
【請求項２】
前記フィルムは、
前記フィルムの終端部付近にエンドマークを有し、
前記センサは、
前記フィルムが十分充填されている場合には前記エンドマークを検知せず、前記フィルムの終端部が近づいた場合に前記エンドマークを検知する位置に配置される光センサであり、
制御部は、
前記光センサの出力に基づいてフィルムエンドを検知した場合、前記フィルムのフィードを行わないように制御する、
請求項１に記載のトイレ装置。
【請求項３】
前記制御部の指示に従って音声を生成するスピーカをさらに備え、
前記制御部は、
フィルムエンドを検知した場合、前記スピーカから前記フィルムの交換を促す音声を生成させる請求項２に記載のトイレ装置。
【請求項４】
前記エンドマークは、
複数回折り返されて前記フィルム収容部に収容される前記フィルムの下方の折り返し部に配置される反射部である請求項２又は請求項３に記載のトイレ装置。
【請求項５】
前記光センサは、
前記フィルム収容部の底部に配置される請求項３に記載のトイレ装置。
【請求項６】
前記エンドマークは、
前記フィルムの終端部付近に設けられるブラックマークである請求項２又は請求項３に記載のトイレ装置。
【請求項７】
前記光センサは、
前記フィルム収容部の側面に配置される請求項６に記載のトイレ装置。
【請求項８】
前記センサは、
前記フィルム収容部の側面に設置される接触センサである請求項１に記載のトイレ装置。
【請求項９】
前記センサは、
前記フィルム収容部の側面に設置される透過型光センサである請求項１に記載のトイレ装置。
【請求項１０】
前記エンドマークは、
前記フィルムの終端部付近に設置される磁性体によって形成され、
前記センサは、
前記フィルムが十分充填されている場合には前記エンドマークを検知せず、前記フィルムの終端部が近づいた場合に前記エンドマークを検知する位置に配置される磁気センサであり、
制御部は、
前記センサの出力に基づいてフィルムエンドを検知した場合、前記フィルムのフィードを行わないように制御する、
請求項２に記載のトイレ装置。
【発明の詳細な説明】
【技術分野】
【０００１】
本発明は、トイレ装置に関するものである。
【背景技術】
【０００２】
仮設トイレや移動式トイレのようなトイレ装置には、排泄物（以下、内容物という。）を熱可塑性の筒状フィルムに入れ、これをヒータ付きのフィルムシール装置によって封止し、さらに切断して内容物を個別に包装するものがある（例えば、特許文献１。）。
【０００３】
従来、フィルムの後端部分にはもうすぐフィルムがなくなる旨を示すＳＴＯＰマークが印刷されていた。ユーザーはこのＳＴＯＰマークを視認することによって、フィルムがもうすぐなくなることを認識できる。
【０００４】
逆に言うと、ユーザーがこのＳＴＯＰマークを見落としてしまったり、視認してもその意味が理解できなかったりした場合、フィルムがないのにトイレ装置が使用されてしまうといったことが起こりうる。
【先行技術文献】
【特許文献】
【０００５】
【特許文献１】国際公開ＷＯ２０１４／０３３９９８
【発明の概要】
【発明が解決しようとする課題】
【０００６】
本発明は、フィルムがなくなりそうになった場合、ユーザーに確実にその旨を知らせることができるとともに、誤使用を確実に防止できるトイレ装置を提供することを課題とする。
【課題を解決するための手段】
【０００７】
前記課題を解決するため、本発明に係るトイレ装置は、便座部と、前記便座部の下方に配置され、筒状に形成されるフィルムを収容するフィルム収容部と、前記フィルム収容部から前記フィルムをフィードするフィルムフィーダと、フィードされた前記フィルムを溶着して切断するヒータと、前記フィルムの終端部が近づいた場合に、前記フィルムの終端部が近づいたことを検知した旨の信号を出力するセンサと、前記センサの出力に基づいて前記フィルムの終端部が近づいたことを検知した場合、前記フィルムのフィードを行わないように前記フィルムフィーダを制御する制御部と、を備える。
【発明の効果】
【０００８】
本発明によれば、フィルムがなくなりそうになった場合、ユーザーに確実にその旨を知らせることができるとともに、誤使用を確実に防止できるトイレ装置を提供することができる。
【図面の簡単な説明】
【０００９】
【図１】本発明を適用するトイレ装置の一例を示す斜視図。
【図２】トレイ装置の構成を示すブロック図。
【図３】トイレ装置の主要部を示した図。
【図４】フィルムが減ってきた場合の図３のＡの部分の拡大図。
【図５】フィルムがなくなった場合の様子を示す図。
【図６】フィルムに設置された反射部を示す図。
【図７】応用例に係るエンドマークを示す図。
【図８】トイレ装置の制御部によるフィルムエンド検出動作を示すフローチャート。
【図９】センサとして接触センサを用いた例を示す図。
【図１０】センサとして透過型光センサを用いた例を示す図。
【図１１】センサとして磁気センサを用いた例を示す図。
【発明を実施するための形態】
【００１０】
以下、本発明の一実施形態にかかるトイレ装置を、図面を参照しながら説明する。
【００１１】
図１は、本実施形態に係るトイレ装置１を示す斜視図である。図１に示すように、トイレ装置１は、内部にフィルムシール装置を備える本体部１１と、本体部１１の上面に設置される便座部１２と、便座部１２の直下に設けられる開口部１３と、前記本体部１１のフィルムシール装置に指示を与える指示コントローラ１４と、を備える。
【００１２】
図２は、トイレ装置１の構成を示すブロック図である。図３は、トイレ装置１の主要部を示した図である。図２及び図３に示すように、本体部１１は、フィルムシール装置として、制御部１１１と、フィルムフィーダ１１２と、駆動部１１３と、ヒータ１１４と、センサとして光センサ１１５と、スピーカ１１６と、を備える。
【００１３】
制御部１１１は、ＣＰＵ（central processing unit）などの演算装置を含む。
【００１４】
フィルムフィーダ１１２は、フィルムＦを絞り込む絞り部と、フィルムＦをフィルムカセット３１から下方に引き出すフィードローラと、を備える。
【００１５】
駆動部１１３は、ステッピングモーターを含み、制御部１１１の制御信号に基づいて絞り部及びフィードローラを駆動させる。
【００１６】
ヒータ１１４は絞り部と連動して変位する。ヒータ１１４は、ゴムなどによって形成される圧着部３２に当接してフィルムＦを加熱し、内容物が入ったフィルム３３を切断する。
【００１７】
光センサ１１５は、フィルムＦの終端部に設置されるエンドマークを検知する。光センサ１１５はエンドマークを検出できる位置に配置される。光センサ１１５はポリプロピレンなどの光を透過する材質によって形成されるフィルムカセット３１の底部に設けられる。なお、フィルムカセット３１が光を透過しない材質によって形成される場合には、光センサ１１５は、例えばフィルムカセット３１の底部に設けられた貫通孔に対応する位置に配置される。この貫通孔は、フィルムＦの終端部付近に設置されるエンドマークである反射部Ｒを、フィルムがなくなりかけた場合に検出できる位置に設けられる。
【００１８】
光センサ１１５は、例えば光を発する発光部と、光を検知した場合にＯＮ信号を生成する受光部と、を備える。反射部Ｒが光センサ１１５に対応する位置に来た場合、発行部の発する光は反射部Ｒに反射して受光部に達し、受光部はＯＮ信号を制御部１１１に出力する。
【００１９】
指示コントローラ１４は、フィルムＦのフィードを制御部１１１に指示するフィルムフィードスイッチ１４１と、フィルムＦの切断を制御部１１１に指示する作動スイッチであるカットスイッチ１４２と、を備える。
【００２０】
フィルムフィードスイッチ１４１は、ユーザーがフィルムＦを送る必要がある場合にＯＮされる。また、カットスイッチ１４２は、ユーザーが用を足した後にＯＮされる。カットスイッチ１４２がＯＮされると、トイレ装置１は絞り部によってフィルムＦを絞り、ヒータ１１４によってフィルムＦを熱によって切断し、さらにフィードローラによってフィルムＦを使用位置までフィードしなおす、という一連のカットシーケンスを実行する。
【００２１】
スピーカ１１６は、制御部１１１の指示に従って音声を生成する。
【００２２】
図３に示すように、フィルムＦがフィルムカセット３１に十分に充填されている場合には、フィルムＦの終端部付近に設置される反射部Ｒを検知する。
【００２３】
図４は、フィルムＦが減ってきた場合の図３のＡの部分の拡大図である。図４に示すように、フィルムＦが少し減っても、フィルムＦの終端部付近に設置された反射部Ｒが光センサ１１５に対応する範囲にある。従って、この場合も光センサ１１５はＯＮ信号を制御部１１１に出力する。
【００２４】
ここで、フィルムＦの終端部付近とは、フィルムＦの終端部から、あと数回、トイレ装置１を使用するのに十分な長さを残した位置を意味する。
【００２５】
反射部Ｒが光センサ１１５に対応する位置にある間は、反射部Ｒは光センサ１１５の発した光を受光部に向けて反射する。受光部は反射光を検知した場合、ＯＮ信号を制御部１１１に出力する。制御部１１１はこのＯＮ信号によってフィルムＦがまだ残っている旨を判定することができる。
【００２６】
図５は、フィルムＦがなくなった場合の様子を示す図である。図５に示すように、フィルムＦがなくなると、反射部Ｒは光センサ１１５から遠ざかる。この場合、光センサ１１５の受光部は反射光を検知しなくなるため、出力信号はＯＮからＯＦＦに変化する。つまり、制御部１１１はフィルムＦの終端部付近に設置される反射部Ｒが光センサ１１５から離れることにより、光センサ１１５からの出力信号がＯＮからＯＦＦに変化したことを検知してフィルムＦの終端部付近を検知する。
【００２７】
図６は、フィルムＦに設置された反射部Ｒを示す図である。図６に示すように、反射部Ｒは、フィルムＦの終端部付近の下方の折り返し部に設置される。
【００２８】
フィルムＦはフィルムカセット３１の内部に、上下方向に複数回折り返されて収容される。つまり、フィルムＦは、上方から下方に向けて伸び、下方端部において折り返されて上方に延び、上方端部において折り返されて下方に延びる。以降、この折り返しが繰り返されて、フィルムＦはフィルムカセット３１の内部に収容される。
【００２９】
図７は、応用例に係るエンドマークを示す図である。図７に示すように、エンドマークはフィルムＦの長手方向に沿って設けられる黒い筋であるブラックマークＢであってもよい。
【００３０】
この場合、光センサ１１５はフィルムカセットの側面方向に配置され、フィルムカセット３１には光センサ１１５と、ブラックマークＢに対応する位置に貫通孔が設けられる。
【００３１】
フィルムＦが十分にあるうちは光センサ１１５の発行部が発する光がフィルムＦに反射されて受光部に達し、光センサ１１５はＯＮ信号を制御部１１１に出力する。
【００３２】
フィルムＦがなくなってきてブラックマークＢが現れると、光センサ１１５の光はブラックマークＢによって吸収されるため、反射光は検知されず、光センサ１１５はＯＦＦ信号を制御部１１１に出力する。
【００３３】
従って、制御部１１１はブラックマークＢを光センサ１１５によって検出することによりフィルムエンドを検知できる。
【００３４】
図８は、トイレ装置１の制御部１１１によるフィルムエンド検出動作を示すフローチャートである。
【００３５】
図８に示すように、ステップ８０１において、制御部１１１は、作動スイッチがＯＮされたかを検知する。
【００３６】
ステップ８０２において、制御部１１１は、作動スイッチがＯＮされたと判定した場合（ステップ８０２のＹ）、ステップ８０３に進み、ＯＮされていないと判定した場合（ステップ８０２のＮ）、ステップ８０１に戻る。
【００３７】
ステップ８０３において、制御部１１１は、フィルムエンド検知動作を行う。つまり、制御部１１１は光センサ１１５の出力に基づいてエンドマークが検出されたかを判定することによりフィルムＦの終端部付近であるフィルムエンドの検知を実行する。
【００３８】
ステップ８０４において、制御部１１１は、フィルムエンドを検知したかを判定する。制御部１１１は、フィルムエンドを検知したと判定した場合（ステップ８０４のＹ）、ステップ８０５に進み、検知したと判定しない場合（ステップ８０４のＮ）、ステップ８０６に進む。
【００３９】
ステップ８０５において、制御部１１１はスピーカ１１６からフィルムＦの交換を促す音声を出力し、ステップ８０１に戻る。つまり、制御部１１１は、検知した場合、カットシーケンスを中止してユーザーにフィルムエンドを知らせる。
【００４０】
ステップ８０６において、制御部１１１は、フィルムＦの送り処理を行う。
【００４１】
ステップ８０７において、制御部１１１は、フィルムエンド検知動作を行う。
【００４２】
ステップ８０８において、制御部１１１は、フィルムエンドを検知したかを判定する。制御部１１１は、フィルムエンドを検知したと判定した場合（ステップ８０８のＹ）、ステップ８０９に進み、検知したと判定しない場合（ステップ８０８のＮ）、ステップ８１０に進む。
【００４３】
ステップ８０９において、制御部１１１はスピーカ１１６からフィルムＦが無くなった旨を示す音声を出力し、ステップ８０１に戻る。つまり、制御部１１１は、検知した場合、カットシーケンスを中止してユーザーにフィルムエンドを知らせる。
【００４４】
ステップ８１０において、制御部１１１は、フィルムＦの溶着処理を行う。つまり、制御部１１１は、ヒータ１１４によってフィルムＦを溶着し、ついでフィルムＦを熱によって切断する。
【００４５】
ステップ８１１において、フィルムエンド検知動作を行う。
【００４６】
ステップ８１２において、制御部１１１は、フィルムエンドを検知したかを判定する。制御部１１１は、フィルムエンドを検知したと判定した場合（ステップ８１２のＹ）、ステップ８１３に進み、検知したと判定しない場合（ステップ８１２のＮ）、ステップ８０１に戻る。
【００４７】
ステップ８１３において、制御部１１１はスピーカ１１６からフィルムＦの交換を促す音声を出力し、ステップ８０１に戻る。つまり、制御部１１１は、検知した場合、カットシーケンスを中止してユーザーにフィルムエンドを知らせる。
【００４８】
以上述べたように、トイレ装置１は、便座部１２と、前記便座部１２の下方に配置され、筒状に形成されるフィルムＦを収容するフィルム収容部（フィルムカセット３１）と、前記フィルム収容部から前記フィルムＦをフィードするフィルムフィーダと、フィードされた前記フィルムを溶着して切断するヒータ１１４と、前記フィルムＦの終端部が近づいた場合に、前記フィルムＦの終端部が近づいたことを検知した旨の信号を出力するセンサ（光センサ１１５）と、前記センサの出力に基づいて前記フィルムの終端部が近づいたことを検知した場合、前記フィルムＦのフィードを行わないように前記フィルムフィーダを制御する制御部１１１と、を備える。
【００４９】
また、本実施形態のトイレ装置１は、便座部１２と、便座部１２の下方に配置され、筒状に形成され終端部付近にエンドマークが設けられるフィルムＦを収容するフィルム収容部（フィルムカセット３１）と、フィルム収容部からフィルムＦをフィードするフィルムフィーダと、フィードされたフィルムＦを溶着して切断するヒータ１１４と、フィルムＦが十分充填されている場合にはエンドマークを検知せず、フィルムＦの終端部が近づいた場合にエンドマークを検知する位置に配置される光センサ１１５と、光センサ１１５の出力に基づいてフィルムエンドを検知した場合、フィルムＦのフィードを行わないように制御する制御部１１１と、を備える。
【００５０】
従って、フィルムがなくなりそうになった場合、ユーザーに確実にその旨を知らせることができるとともに、誤使用を確実に防止できるトイレ装置を提供することが可能となるという効果がある。
【００５１】
なお、センサはフィルムＦが残り少なくなったことを検知できればどのようなセンサでも用いることができる。
【００５２】
図９は、センサとして接触センサ１１５Ａを用いた例を示す図である。図９に示すように、接触センサ１１５Ａは、例えばフィルムカセット３１の内壁に設置される。この場合、接触センサ１１５Ａは、フィルムＦが十分ある場合にはＯＮ信号を、フィルムＦが減ってきた場合に、ＯＦＦ信号を出力する。
【００５３】
図１０は、センサとして透過型光センサを用いた例を示す図である。図１０に示すように、透過型光センサは、発光部１１５Ｂと、受光部１１５Ｃと、を備える。フィルムＦは発光部１１５Ｂと受光部１１５Ｃとの間に配置される。この場合、透過型光センサは受光部１１５Ｃが、フィルムＦが十分ある場合にはＯＦＦ信号を、フィルムＦが無くなった場合に、ＯＮ信号を出力する。
【００５４】
図１１は、センサとして磁気センサ１１５Ｄを用いた例を示す図である。図１１に示すように、エンドマークとして磁性体ＭがフィルムＦの終端部付近の下方の折り返し部に設置される。そして、磁気センサ１１５Ｄはリング状のフィルムカセット３１の底部に、底部の径方向の中心よりフィルムＦの終端側にずらして配置される。この場合、接触センサ１１５Ａは、フィルムＦが十分ある場合にはＯＮ信号を、フィルムＦが減ってきた場合に、ＯＦＦ信号を出力する。
【００５５】
上記のいずれの場合においても、図８を用いて説明した動作は同じである。
【符号の説明】
【００５６】
１  トイレ装置
１１  本体部
１２  便座部
１３  開口部
１４  指示コントローラ
３１  フィルムカセット
３２  圧着部
３３  フィルム
１１１  制御部
１１２  フィルムフィーダ
１１３  駆動部
１１４  ヒータ
１１５  光センサ
１１６  スピーカ
１４１  フィルムフィードスイッチ
１４２  カットスイッチ
Ｂ  ブラックマーク
Ｆ  フィルム
Ｒ  反射部
Ｍ  磁性体
【図１】
2018099153.tif 000003
【図２】
2018099153.tif 000004
【図３】
2018099153.tif 000005
【図４】
2018099153.tif 000006
【図５】
2018099153.tif 000007
【図６】
2018099153.tif 000008
【図７】
2018099153.tif 000009
【図８】
2018099153.tif 000010
【図９】
2018099153.tif 000011
【図１０】
2018099153.tif 000012
【図１１】
2018099153.tif 000013